(57)【要約】【課題】生産者の技術によらず、また使用する陶磁材料を問わず、容易に任意の立体形状を安定して得られ、用途に応じて適宜大きさを変更できる装飾性に優れた陶磁器による装飾品を提供すること。【解決手段】所望形状の複数枚の陶磁器板２がスペーサ３を介して求める立体を構成するように順次積層固定された陶磁器による装飾品１と、求める立体を一定の方向に対して垂直で等間隔に切断分割して複数の各切断面を得、次いで前記各切断面の形状を用いて母型を作成し、続いて前記母型を用いて陶土の板状体を形成し、次いで前記板状体を焼成して複数枚の陶磁器板２を得、次いでスペーサ３を介して複数枚の前記陶磁器板２を順次求める立体を構成するように積層固定する陶磁器による装飾品１とその製造方法。【選択図】    図１
2004261992.tif 000002
【特許請求の範囲】
【請求項１】
陶磁器による装飾品であって、所望形状の複数枚の陶磁器板がスペーサを介して求める立体を構成するように順次積層固定されたことを特徴とする陶磁器による装飾品。
【請求項２】
前記陶磁器板が求める立体を一定の方向に対して垂直で等間隔に切断分割された断面形状を有していることを特徴とする請求項１記載の陶磁器による装飾品。
【請求項３】
前記陶磁器板が前記スペーサを介して金属シャフトにより順次積層固定されていることを特徴とする請求項１又は２に記載の陶磁器による装飾品。
【請求項４】
前記陶磁器板が前記スペーサを介して接着剤により順次積層固定されていることを特徴とする請求項１又は２に記載の陶磁器による装飾品。
【請求項５】
前記スペーサが弾性を有する緩衝輪であることを特徴とする請求項１〜４のいずれか１項に記載の陶磁器による装飾品。
【請求項６】
求める立体を一定の方向に対して垂直で等間隔に切断分割して複数の各切断面を得、次いで前記各切断面の形状を用いて母型を作成し、続いて前記母型を用いて陶土の板状体を形成し、次いで前記板状体を焼成して複数枚の陶磁器板を得、次いでスペーサを介して複数枚の前記陶磁器板を順次求める立体を構成するように積層固定することを特徴とした陶磁器による装飾品の製造方法。
【請求項７】
前記板状体が前記母型を型枠とし、陶土の含水率を調整し解こう剤を加えてなる泥漿を充填して前記板状体を形成することを特徴とした請求項６記載の陶磁器による装飾品の製造方法。
【請求項８】
前記板状体が前記母型をもとに作られた型紙を用いて、陶土を裁断して前記板状体を形成することを特徴とした請求項６記載の陶磁器による装飾品の製造方法。
【発明の詳細な説明】
【０００１】
【発明の属する技術分野】本発明は、陶磁器板を用いた小型の家具や調度品などとして使用できる装飾品とその製造方法に関する。
【０００２】
【従来の技術】従来の陶磁器による装飾品は、焼成による変形を避けるため、鉛直方向に対して同心円や点対称、或いは線対称の形状のものが一般的である。また、不定形の立体は予め焼成による変形を考慮した形状に形成されることが一般的である。そして、陶磁器で複雑な立体を作成する試みとしては、アクリル系バインダーを配合して調整した組成物から得られるセラミックグリーンシートを用いた製造方法も開示されている（例えば、特許文献１参照）。
【０００３】
【特許文献１】特開平４−２４０１５２号公報（第１頁）
【０００４】
【発明が解決しようとする課題】上記のように、従来の陶磁器による立体形状の装飾品は、焼成による変形を避けるため、鉛直方向に対して同心円や点対称、或いは線対称の形状のものが一般的であり、用途によって大きさを変更することができない。特に、前記の特許文献１に記載されたセラミックグリーンシートを用いる方法では、複雑な立体形状を得ることは可能だが複雑な操作が必要で、従来用いられていた陶土をそのまま用いることはできず、且つ焼成による変形は避けられなかった。
【０００５】また、従来の陶磁器による不定形の装飾品は、予め焼成による変形を考慮した形状に成形することが一般的であるが、焼成による変形を考慮するには相当の勘と経験を要する。
【０００６】さらに、器体の厚さや焼成温度、焼成雰囲気や使用する陶土の性質などの変化によって変形の程度が変化するため、安定した形状の製品を得ることが難しい。
【０００７】本発明は、生産者の技術によらず、また使用する陶磁材料を問わず、容易に不定形の立体形状を安定して得ることが可能で、装飾性に富み、用途に応じて大きさを変更することが可能な陶磁器による装飾品とその製造方法を提供することを目的としている。
【０００８】
【課題を解決するための手段】前記の目的を達成するため、本発明は、所望形状の複数枚の陶磁器板がスペーサを介して求める立体を構成するように順次積層固定された陶磁器による装飾品と、その製造方法となる、求める立体を一定の方向に対して垂直で等間隔に切断分割して複数の各切断面を得、次いで前記各切断面の形状を用いて母型を作成し、続いて前記母型を用いて陶土の板状体を形成し、次いで前記板状体を焼成して複数枚の陶磁器板を得、次いでスペーサを介して複数枚の前記陶磁器板を順次求める立体を構成するように積層固定する陶磁器による装飾品の製造方法を提供する。
【０００９】なお、本発明に用いる陶磁器板は求める立体を一定の方向に対して垂直で等間隔に切断分割された断面形状とすることで、モデルとした立体に近似した外観を有する陶磁器による装飾品を得ることができる。また、本発明に用いる陶磁器板とスペーサを積層固定するには、金属シャフトや接着剤を用いて順次積層固定すると良い。そして、陶磁器板の間に介在させるスペーサが弾性を有する緩衝輪であれば、陶磁器板の積層固定時や装飾品として展示している時に陶磁器板に外力が作用しても破損しにくく好ましい。
【００１０】また、本発明の陶磁器による装飾品の製造方法において陶土を用いた板状体は母型を型枠として、陶土の含水率を調整し解こう剤を加えてなる泥漿を充填して形成しても良いし、母型をもとに作られた型紙を用いて陶土を裁断して形成しても良い。
【００１１】
【発明の実施の形態】以下、発明の実施の形態を実施例となる図面を参照して説明する。図１は本発明の実施例となる装飾品の分解斜視図で、図２はその製造工程の概略を示すフローである。
【００１２】本発明の装飾品となるモデルの立体とは全体の形状が同心円や点対称、或いは線対称ではなく、従来は陶磁器で立体形状に製造し難い人や動物の人形、複雑な形状や大型の装飾品などが適している。この実施例では、不定形の立体として内部に空洞を設けて仏像などを安置することができる仏壇をモデルとした。
【００１３】まず、モデルである立体は一定の方向に対して垂直な面で等間隔に切断分割される。一定の方向とは通常、奥行き方向などモデルとなる立体の最も長い部分の方向が好ましい。分割する間隔は以後に造られる陶磁器板２の厚さや重量を考慮して決定されるが、通常は２〜１０ｍｍの範囲である。図１に示すこの実施例では、モデルの奥行き方向に対して垂直な面で４ｍｍの間隔に等分割した。
【００１４】等間隔で切断された切断面を、所定の間隔で取り出して陶土で形成する板状体の母型を作成する。切断面を取り出す間隔は１つ置きでも良いし、２〜３つ置きでも良い。取り出した各切断面同士の間隔に、陶磁器板２とスペーサ３を１組配列した長さが相当するように陶磁器板２とスペーサ３の厚さを決定する。この実施例では、分割した切断面を１つ置きに取り出して母型を作成した。母型は、モデルとなる立体の各切断面の形状を基本にして、陶土の乾燥や焼成によって生じる寸法の収縮を考慮して１０〜２０％程度大きめに作成される。
【００１５】次に、母型を型枠として、陶土の含水率を調整して解こう剤を加えてなる泥漿を充填して板状体を形成する。陶土は通常、食器や花瓶などの陶磁器の作成に用いられる粘土を主体とした土で、この実施例では磁器土を用い含水率は２７重量％にし、解こう剤として珪酸ナトリウムを０．２重量％用いた。また、この実施例では前記方法にて板状体の作成を行ったが、板状体は型押し成形で形成しても良いし、予め板状に形成した陶土を、母型をもとに作られた型紙を用いて切り抜き形成しても良い。なお、陶土で造られた板状体には必要に応じて絵付けをしたり釉薬を用いるなどして装飾を施したり、連結用の貫通孔７を設けて焼成することもできる。
【００１６】板状体の焼成は、通常陶磁器の焼成に用いられる窯を用いて、１１００〜１３５０℃で行うと良い。この実施例では１３００℃で還元焼成を行った。
【００１７】上記のようにして作成した陶磁器板２を、スペーサ３を介して装飾品１としての立体形状を構成するように固定する。装飾品１は陶磁器板２と弾性を有する緩衝輪からなるスペーサ３と両端部に雄ネジ部が形成された固定用軸としての金属シャフト４と前記雄ネジ部に螺合するナット５を主な部品として構成される。
【００１８】シャフト４は複数の陶磁器板２とスペーサ３とを交互に配列して組み合わせた状態で貫通孔７に挿される。そして各シャフト４の雄ネジ部にナット５を螺合させて締めつけることで陶磁器板２とスペーサ３が締めつけられた状態で一体に固定される。シャフト４は３本以上を１組として使用することが好ましいがそれ以下の本数であっても良い。
【００１９】陶磁器板２とスペーサ３を所望数配列し、その配列長さに見合うシャフト４を用いて装飾品１を組み立てると、装飾品１の長さを用途に応じて変更できる。
【００２０】本発明の装飾品１は、陶磁器板２に開口部９を設けることで棚板６及び装飾部品８を設置することができる。
【００２１】本発明の装飾品１は陶磁器板２の形状を変更することで、仏壇や収納体、或いは照明器具などに幅広く適用できる。
【００２２】
【発明の効果】本発明は陶磁器による装飾品であって、求める立体を一定の方向に対して垂直で等間隔に切断分割して複数の各切断面を得、次いで前記各切断面の形状を用いて母型を作成し、続いて前記母型を用いて陶土の板状体を形成し、次いで前記板状体を焼成して複数枚の陶磁器板を得、次いでスペーサを介して複数枚の前記陶磁器板を順次求める立体を構成するように積層固定しているので、生産者の技術によらず、また使用する陶磁材料を問わず、容易に不定形の立体形状を安定して得ることができる。
【００２３】また、嗜好に応じて陶磁器板２を装飾することで、需要に応じた室内装飾が実現できる。
【００２４】さらに、装飾品１を磁器板で形成した場合、磁器は透光性を有するため照明器具としての使用にも適している。
【図面の簡単な説明】
【図１】本発明の陶磁器による装飾品の全体構造を示す斜視図である。
【図２】本発明の陶磁器による装飾品の製造工程の概略を示すフローである。
【符号の説明】
１    装飾品
２    陶磁器板
３    スペーサ
４    シャフト
５    ナット
６    棚板
７    貫通孔
８    装飾部品
９    開口部
【図１】
2004261992.tif 000003
【図２】
2004261992.tif 000004